(57)【特許請求の範囲】
【請求項１】
ケーブルの両端に貼り付けられ、当該ケーブルが接続される接続先を示す２つの接続先情報が印刷された１組のケーブルラベルを作成するラベル作成装置であって、
前記ケーブルの両接続先のうち一方の接続先である第１接続先を示す第１接続先情報と、他方の接続先である第２接続先を示す第２接続先情報とを入力する入力手段と、
前記第２接続先情報に対して前記第１接続先情報を強調して印刷する第１印刷書式と、前記第１接続先情報に対して前記第２接続先情報を強調して印刷する第２印刷書式と、を記憶する印刷書式記憶手段と、
前記第１接続先情報および前記第２接続先情報を、前記第１印刷書式に基づいて印刷するための第１印刷データと、前記第２印刷書式に基づいて印刷するための第２印刷データと、を生成する印刷データ生成手段と、
前記第１印刷データおよび前記第２印刷データをテープ上に印刷する印刷手段と、を備えたことを特徴とするラベル作成装置。
【請求項２】
前記第１印刷書式は、前記第１接続先情報および前記第２接続先情報の少なくとも一方に、前記第２接続先情報に対して前記第１接続先情報を強調する装飾処理を施して印刷する印刷書式であり、
前記第２印刷書式は、前記第１接続先情報および前記第２接続先情報の少なくとも一方に、前記第１接続先情報に対して前記第２接続先情報を強調する装飾処理を施して印刷する印刷書式であることを特徴とする請求項１に記載のラベル作成装置。
【請求項３】
前記第１印刷書式は、前記第２接続先情報に対して前記第１接続先情報を強調する第１強調指標イメージを有し、
前記第２印刷書式は、前記第１接続先情報に対して前記第２接続先情報を強調する第２強調指標イメージを有することを特徴とする請求項１または２に記載のラベル作成装置。
【請求項４】
前記第１強調指標イメージは、前記第２接続先情報を後方とし、前記第１接続先情報を先端とする矢印であり、
前記第２強調指標イメージは、前記第１接続先情報を後方とし、前記第２接続先情報を先端とする前記矢印であることを特徴とする請求項３に記載のラベル作成装置。
【請求項５】
１のテープ長を入力するテープ長入力手段と、
前記テープを切断するフルカット手段と、を更に備え、
前記フルカット手段は、前記１組のケーブルラベルの作成に際し、各ケーブルラベルが、入力した前記１のテープ長となるように、前記テープを切断することを特徴とする請求項１ないし４のいずれかに記載のラベル作成装置。
【請求項６】
前記テープは、粘着層を有するテープ本体と、前記粘着層を保護する剥離紙とから成り、
前記テープ本体のみを切断するハーフカットを行なうハーフカット手段を更に備え、
前記印刷手段は、前記第１印刷データおよび前記第２印刷データを前記テープ上で隣接して印刷し、
前記ハーフカット手段は、前記第１印刷データおよび前記第２印刷データの隣接部をハーフカットすることを特徴とする請求項１ないし５のいずれかに記載のラベル作成装置。
【発明の詳細な説明】
【技術分野】
【０００１】
本発明は、ケーブルの両端に貼付される１組のケーブルラベルを作成するラベル作成装置に関するものである。
【背景技術】
【０００２】
従来、この種のラベル作成装置として、巻き代の両端にテキストを印字して成るコード用ラベル（ケーブルラベル）を作成するものが知られている（特許文献１参照）。このコード用ラベルは、電源コード（ケーブル）の先端（一端）におけるプラグ近傍に貼付することを想定したものであり、基端（他端）に接続した機器の名称をテキストとして印字する。
【特許文献１】特開平６−２４７４３１号公報
【発明の開示】
【発明が解決しようとする課題】
【０００３】
ところで、ケーブル（コード）は、２つの機器を接続するために用いられる。
しかしながら、上記のコード用ラベル作成装置により、ケーブル両端のケーブルラベルを作成しようとすると、各ケーブルラベルには、いずれも一方の接続先（上記他端の機器の名称）のみしか印刷されない。すなわち、１のケーブルラベルを見ただけでは、他端の接続先しか知ることができず、一端の接続先を知ることができないという問題があった。また、１組のケーブルラベルを個々に作成する必要があるため、１組のケーブルラベル作成が煩雑であるという問題があった。単に接続先を印刷したケーブルラベルを２枚作成することも考えられるが、かかる場合、ケーブルラベルの表示を見たときに、当該ケーブルラベルが貼付されている一端が、どの接続先に接続されるか判別することができないという問題があった。
【０００４】
本発明は、ケーブルの一端を確認することにより、ケーブルの両端の接続先を把握できそれぞれに対応する接続先の判別が容易な１組のケーブルラベルを簡易な構成で作成することができるラベル作成装置を提供することを課題としている。
【課題を解決するための手段】
【０００５】
本発明のラベル作成装置は、ケーブルの両端に貼り付けられ、当該ケーブルが接続される両接続先を示す２つの接続先情報が印刷された１組のケーブルラベルを作成するラベル作成装置であって、両接続先のうち一方の接続先である第１接続先を示す第１接続先情報と、他方の接続先である第２接続先を示す第２接続先情報とを入力する入力手段と、第２接続先情報に対して第１接続先情報を強調して印刷する第１印刷書式と、第１接続先情報に対して第２接続先情報を強調して印刷する第２印刷書式と、を記憶する印刷書式記憶手段と、第１接続先情報および第２接続先情報を、第１印刷書式に基づいて印刷するための第１印刷データと、第２印刷書式に基づいて印刷するための第２印刷データと、を生成する印刷データ生成手段と、第１印刷データおよび第２印刷データをテープ上に印刷する印刷手段と、を備えたことを特徴とする。
【０００６】
この構成によれば、それぞれの接続先情報を入力すると、第１接続先情報を強調する印刷書式の印刷データ（第１印刷データ）、および第２接続先情報を強調する印刷書式の印刷データ（第２印刷データ）をテープに印刷し、これら１組のケーブルラベルを作成する。ユーザが、この１組のケーブルラベルを、ケーブル上の、対応する各接続先寄りに貼付すると、一方のケーブルラベルを参照するだけで、それぞれの接続先を把握することができる。また、各ケーブルラベルを同時に作成することができるため、１組のケーブルラベルの作成を容易に行うことができる。
【０００７】
この場合、第１印刷書式は、第１接続先情報および第２接続先情報の少なくとも一方に、第２接続先情報に対して第１接続先情報を強調する装飾処理を施して印刷する印刷書式であり、第２印刷書式は、第１接続先情報および第２接続先情報の少なくとも１方に、第１接続先情報に対して第２接続先情報を強調する装飾処理を施して印刷する印刷書式であることが好ましい。
【０００８】
この場合、第１印刷書式は、第２接続先情報に対して第１接続先情報を強調する第１強調指標イメージを有し、第２印刷書式は、第１接続先情報に対して第２接続先情報を強調する第２強調指標イメージを有することが好ましい。
【０００９】
これらの構成によれば、第１接続先情報もしくは第２接続先情報を強調する装飾処理を施し、強調する強調指標イメージを加えることにより、簡易な処理で強調表示することができるので、ケーブルの端部に対応する接続先を容易に判別することができる。
【００１０】
この場合、第１強調指標イメージは、第２接続先情報を後方とし、第１接続先情報を先端とする矢印であり、第２強調指標イメージは、第１接続先情報を後方とし、第２接続先情報を先端とする矢印であることが好ましい。
【００１１】
この構成によれば、矢印を用いることにより、一方の接続先情報に対し、他方の接続先情報を更に強調表示することができるので、ケーブルの端部に対応する接続先を容易に判別することができる。なお、矢印は、対象物および方向を指し示すことができるものであれば、形状を限定するものではなく、例えば、３角形や、人差し指を突き出した手のイメージであってもよい。
【００１２】
この場合、１のテープ長を入力するテープ長入力手段と、テープを切断するフルカット手段と、を更に備え、フルカット手段は、１組のケーブルラベルの作成に際し、各ケーブルラベルが、入力した１のテープ長となるように、テープを切断することが好ましい。
【００１３】
この構成によれば、１のテープ長を入力すると、同じテープ長となる１組のケーブルラベルが作成される。そのため、１組のケーブルラベルを同一長さで見栄え良く作成することができる。したがって、ユーザは、容易に所望のテープ長となる１組のケーブルラベルを作成することができる。
【００１４】
この場合、テープは、粘着層を有するテープ本体と、粘着層を保護する剥離紙とから成り、テープ本体のみを切断するハーフカットを行なうハーフカット手段を更に備え、印刷手段は、第１印刷データおよび第２印刷データをテープ上で隣接して印刷し、ハーフカット手段は、第１印刷データおよび第２印刷データの隣接部をハーフカットすることが好ましい。
【００１５】
この構成によれば、１組のケーブルラベルの隣接部が、ハーフカットされているため、１組のケーブルラベルが連結して出力される。これにより、ユーザは、１組のケーブルラベルを容易に管理することができる。また、ハーフカットが剥がし代となるため、各ケーブルラベルのテープ本体を容易に剥離することができる。
【発明を実施するための最良の形態】
【００１６】
以下、添付の図面を参照して、本発明の一実施形態に係るテープ印刷装置（ラベル作成装置）について説明する。このテープ印刷装置は、専用の印刷テープ（テープ）に所定の印刷データを印刷することにより、ケーブル両端に貼付される１組のケーブルラベルを作成するものである。
【００１７】
図１および図２に示すように、テープ印刷装置１は、印刷テープＴに対して印刷処理を行う装置本体１１と、印刷テープＴおよびインクリボンＲを収容し、装置本体１１に着脱自在に装着されるテープカートリッジＣとを備えている。
【００１８】
装置本体１１は、装置ケース１２により外装が形成され、装置ケース１２の前半部上面には、文字等を入力するための複数の文字入力キー１３と、各種選択および確定処理等を行うための複数の機能キー１５と、を備えたキーボード１７が配設されている。機能キー１５には、印刷フォームの設定を行なうフォームキー１５ａ、後述するディスプレイ２４に表示される選択肢を選択する上下（左右）キー１５ｂ、上記選択肢から所望の選択肢（文字列）を確定する確定キー１５ｃ、入力編集中の文字等を削除する削除キー１５ｄ等が含まれる。
【００１９】
装置ケース１２の後半部左上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。後半部右上面には、キーボード１７からの入力結果等を表示するディスプレイ２４が形成されている。
【００２０】
蓋体開放ボタン２３を押して開閉蓋２１を開放すると、その内部には、テープカートリッジＣが装着されるカートリッジ装着部３１が窪入形成されており、カートリッジ装着部３１には、テープカートリッジＣから繰り出される印刷テープＴに印刷処理を行う印刷ヘッド４１が配設されている（図２参照）。
【００２１】
装置ケース１２の左側部には、カートリッジ装着部３１と装置外部とを連通するテープ排出口３２が形成され、このテープ排出口３２に臨んで印刷テープＴを切断するための切断部３３が内蔵されている。また、図１および図２では省略したが、装置ケース１２の内部には、装置本体１１を統括制御する制御部６４（図４参照）を構成する回路基板が搭載されている。
【００２２】
カートリッジ装着部３１には、発熱素子を有しヘッドカバー４０に覆われた印刷ヘッド４１と、後述するテープカートリッジＣのテープリール５１の位置決めをする位置決め突起４２と、印刷テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケース５０の裏面に形成された複数の被検出孔に対応してテープ識別センサ（図示省略）が設けられている。また、カートリッジ装着部３１には、プラテン駆動軸４３および巻取り駆動軸４４を駆動する印刷送りモータ４６（図４参照）や減速ギヤ列等（図示省略）が内蔵されている。
【００２３】
テープカートリッジＣは、カートリッジケース５０の内部に、印刷テープＴを巻回したテープリール５１と、右下部にインクリボンＲを巻回したリボン繰出しリール５２およびリボン巻取りリール５３とを収容して構成されている。また、テープリール５１の左下部には、印刷ヘッド４１を覆うヘッドカバー４０が差し込まれるための貫通開口５４が形成されている。さらに、印刷テープＴとインクリボンＲとが重なる部分に対応し、上記プラテン駆動軸４３に嵌合して回転駆動するプラテンローラ５５が配置されている。
【００２４】
テープカートリッジＣをカートリッジ装着部３１に装着すると、ヘッドカバー４０に貫通開口５４が、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、印刷テープＴおよびインクリボンＲを挟み込んでプラテンローラ５５に当接し、印刷待機状態となる。そして、印刷データ生成手段７３（図４参照）で生成された印刷データに基づき、プラテン駆動軸４３および巻取り駆動軸４４が同期回転して、印刷テープＴおよびインクリボンＲを送りながら、印刷ヘッド４１により印刷処理が行われる。これと共に、リボン繰出しリール５２から繰り出されたインクリボンＲは、貫通開口５４の開口壁を周回してリボン巻取りリール５３に巻き取られる。
【００２５】
印刷テープＴは、テープ種別（テープ幅、テープ色、インクリボン色、テープ材質）が異なる複数種のものが用意されており、裏面に粘着剤層が塗着された記録テープ（テープ本体）Ｔ１と、この粘着剤層により記録テープＴ１に貼付された剥離テープ（剥離紙）Ｔ２とから構成されている。そして、印刷テープＴは、記録テープＴ１を外側にし、かつ剥離テープＴ２を内側にしてロール状に巻回されてカートリッジケース５０に収容されている。カートリッジケース５０の裏面には、小さな複数の被検出孔（図示省略）が形成され、上記のテープ識別センサによってこの複数の被検出孔が検出されることにより、印刷テープＴの種別を識別できるようになっている。
【００２６】
ここで、ケーブルラベルを作成する際に用いられる専用の印刷テープＴについて説明する。図３（ａ）に示すように、専用の印刷テープＴは、記録テープＴ１が、幅方向端部に形成された白地の印刷領域Ｔ１ａと、印刷領域Ｔ１ａから幅方向に延在する透明地の巻付け領域Ｔ１ｂと、から形成されている。このような専用の印刷テープＴで作成されたケーブルラベルは、図３（ｂ）および（ｃ）に示すように、記録テープＴ１の印刷領域Ｔ１ａをケーブル１０の周方向の所望の位置に貼り付け、巻付け領域Ｔ１ｂを印刷領域Ｔ１ａの上に重なるようにケーブルに巻きつけて貼り付けられる。これにより、巻付け領域Ｔ１ｂにより印刷領域Ｔ１ａの保護をすることができる。
【００２７】
次に、図４の制御ブロック図を参照し、テープ印刷装置１の制御系について説明する。テープ印刷装置１は、キーボード１７上の各種キーからのデータ入力や、印刷データ等のディスプレイ２４への表示など、ユーザインタフェースとして機能する操作部６１と、印刷テープＴに印刷を行う印刷部（印刷手段）６２と、印刷テープＴを切断する切断部３３と、テープ印刷装置１の各部に接続され、テープ印刷装置１全体を制御する制御部６４と、を有している。
【００２８】
切断部３３は、印刷テープＴをフルカットするフルカッタ５８と、フルカッタ５８を駆動するフルカッタモータ５７と、印刷テープＴのハーフカットするハーフカッタ６０と、ハーフカッタ６０を駆動するハーフカッタモータ５９と、を備えている。フルカットは、印刷テープＴの記録テープＴ１および剥離テープＴ２を共に切断する切断処理であり、印刷後の印刷テープＴを所定のテープ長でフルカットすることで、ラベルを作成する。一方、ハーフカットは、印刷後の印刷テープＴのみを切断することで、記録テープＴ１のみ分断する。１組のケーブルラベルを作成する際には、ケーブルラベルの相互間（後述する第１印刷データ７６および第２印刷データ７７の隣接部）でハーフカットを行い、１組のケーブルラベルを剥離テープＴ２により連結した状態とする。なお、請求項にいうフルカット手段およびハーフカット手段は、この切断部３３により構成されている。
【００２９】
印刷部６２は、後述する印刷データ生成プログラム７３により生成した印刷データに基づいて印刷ヘッド４１により印刷テープＴに印刷処理を行う。
【００３０】
制御部６４は、ＣＰＵ（Central Processing Unit）６５と、ＣＰＵ６５で各種制御処理を行うための制御プログラムを有するＲＯＭ（Read Only Memory）６６と、各種制御処理の作業領域となるＲＡＭ（Random Access Memory）６７と、テープ印刷装置１の各部と入力データや制御信号の入出力を行う入出力制御装置（ＩＯＣ：Input Output Controller）６８と、を備え、これらは互いに内部バスにより接続されている。ＣＰＵ６５は、ＲＯＭ６６内の制御プログラムに従って、ＩＯＣ６８を介してテープ印刷装置１の各部から各種信号・データを入力する。また、ＣＰＵ６５は、入力した各種信号・データに基づいて、ＲＡＭ６７内の各種データを処理し、ＩＯＣ６８を介してテープ印刷装置１の各部に各種信号・データを出力し、印刷処理の制御を行う。ＲＯＭ６６内には、フォーム選択プログラム７０と、フォームデータベース（以下、フォームＤＢ：印刷書式記憶手段）７１と、ペアケーブル設定プログラム７２と、印刷データ生成プログラム７３と、が記憶されている。
【００３１】
フォーム選択プログラム７０は、ラベルに印刷する印刷フォームを選択するためのプログラムである。印刷フォームは、用途等に対応したレイアウト（行数、文字サイズ、書体、装飾種類等）であり、「フォーム」と「特殊フォーム」とにカテゴリー分けされている。フォーム選択プログラム７０を実行するＣＰＵ６５は、「フォーム」と「特殊フォーム」との選択画面を、ディスプレイ２４に表示させる。ユーザが、「フォーム」を選択すると、ＣＰＵ６５は、「Ａ４ファイル」「Ｂ５ファイル」「ＣＤケース」「ＦＤ・ＭＯ」といった選択肢を有する選択画面を、ディスプレイ２４に表示させる。一方、「特殊フォーム」を選択すると、「見出し（縦）」「見出し（横）」「縦型よこ書」「横型たて書」「ケーブル用」「ペアケーブル」といった選択画面をディスプレイ２４に表示させる（図５（ａ）参照）。このように、ユーザは、所望の印刷フォームを選択することができる。なお、上記１組のケーブルラベルを作成する場合には「ペアケーブル」を選択する。
【００３２】
フォームＤＢ７１は、選択可能な各印刷フォームのレイアウト（印刷書式）を記憶するものである。ＣＰＵ６５は、印刷データの生成に際し、選択された印刷フォームのレイアウトをフォームＤＢ７１から読み出し、このレイアウトに基づいて印刷データを生成する。印刷フォーム「ペアケーブル」では、１組のケーブルラベルを作成するため、ケーブルラベルのレイアウトである第１レイアウト（第１印刷書式）および第２レイアウト（第２印刷書式）がそれぞれ記憶されている。
【００３３】
ここで、図６および図７を参照して、第１レイアウトおよび第２レイアウトを用いて作成される１組のケーブルラベルについて説明する。図６（ａ）および（ｂ）は、この１組のケーブルラベルの一例である。図７は、この１組のケーブルラベルの使用例である。図６（ａ）および（ｂ）に示すように、１組のケーブルラベルのうち一方のケーブルラベルは、印刷領域Ｔ１ａに、第１レイアウトを用いて生成された第１印刷データ７６が印刷される。また、他方のケーブルラベルは、印刷領域Ｔ１ａに、第２レイアウトを用いて生成された第２印刷データ７７が印刷される。第１印刷データ７６および第２印刷データ７７は、ケーブルラベルの貼付対象となるケーブル１０の一方の接続先の名称である第１接続先名（第１接続先情報）８１と、第１接続先名８１に対しテープ長方向に並列印刷されると共に、ケーブル１０の他方の接続先の名称である第２接続先名８２（第２接続先情報）と、第１接続先名８１および第２接続先名８２の間に配置された中間部イメージ８３（図中では矢印）（強調指標イメージ）と、を有している。すなわち、１組のケーブルラベルは、第１接続先名８１、中間部イメージ８３、第２接続先名８２という順、もしくは、第２接続先名８２、中間部イメージ８３、第１接続先名８１という順、でテープ長方向に並んで印刷される。
【００３４】
第１印刷データ７６では、第１接続先名８１を強調装飾（囲いおよび網掛け）し、第２印刷データ７７では、第２接続先名８２を強調装飾（囲いおよび網掛け）する。このように、第１印刷データ７６では第１接続先名８１を強調し、第２印刷データ７７では第２接続先名８２を強調する。これにより、各ケーブルラベルが、ケーブル１０の両端のうち、どちらの接続先に対応しているかを示すことができる。また、中間部イメージ８３も同様に、第１接続先名８１もしくは第２接続先名８２を強調する強調要素である。作成された各ケーブルラベルは、図７に示すようにユーザにより、ケーブル１０上の、対応する各接続先寄りに貼付される。
【００３５】
ペアケーブル設定プログラム７２は、フォーム選択画面で「ペアケーブル」が選択された際、１組のケーブルラベルの各設定を行なうためのプログラムである。ペアケーブル設定プログラム７２は、テープ長設定プログラム９２と、接続先入力プログラム９３と、中間部設定プログラム９４と、反転要素設定プログラム９５と、を有している。
【００３６】
テープ長設定プログラム９２は、作成されるケーブルラベルのテープ長を設定するためのプログラムである。テープ長設定プログラム９２を実行するＣＰＵ６５は、テープ長の選択画面（図５（ｂ）参照）を、ディスプレイ２４に表示させ、ユーザにテープ長の選択を促す。ユーザは、この選択画面を視認しつつ、テープ長を選択する（テープ長入力手段）。ここで選択されたテープ長を、それぞれのケーブルラベルのテープ長として設定する。なお、本実施形態では、ユーザにテープ長を選択入力させて設定するものであるが、入力画面を表示させ、ユーザにテープ長を数値入力させるものであっても良い。また、後述するケーブルラベルの各設定情報に基づいて、自動的にテープ長を設定しても良い。
【００３７】
接続先入力プログラム９３は、ケーブル１０の接続先の名称、すなわち、上記の第１接続先名８１および第２接続先名８２を入力するためのプログラムである。接続先入力プログラム９３を実行するＣＰＵ６５は、第１接続先名８１および第２接続先名８２を入力する入力画面（図５（ｃ）および（ｄ）参照）を、ディスプレイ２４に表示させ、ユーザに第１接続先名８１および第２接続先名８２の入力を促す。ユーザは、この入力画面を視認しつつ、第１接続先名８１および第２接続先名８２を入力する（入力手段）。上記したように、ここで入力した第１接続先名８１および第２接続先名８２が、１組のケーブルラベルそれぞれに印刷される。
【００３８】
中間部設定プログラム９４は、上記中間部イメージ８３となる中間部文字列（記号を含む）を設定するためのプログラムである。中間部設定プログラム９４を実行するＣＰＵ６５は、まず、中間部文字列を自動的に設定する「自動入力」と、中間部文字列をユーザ操作に基づいて設定する「手動入力」との選択画面（図５（ｅ）参照）を、ディスプレイ２４に表示させる。ユーザが「自動入力」を選択すると、中間部文字列を「→」に設定する。一方、ユーザが「手動入力」を選択すると、ＣＰＵ６５は、中間部文字列の入力画面（図５（ｅ）参照）を、ディスプレイ２４に表示させ、ユーザに中間部文字列の入力を促す。
【００３９】
反転要素設定プログラム９５は、第１印刷データ７６と第２印刷データ７７とにおいて、第１接続先名８１および第２接続先名８２の位置を反転させるか、中間部イメージ８３を左右反転させるか、を設定するためのプログラムである。反転要素設定プログラム９５を実行するＣＰＵ６５は、第１接続先名８１および第２接続先名８２の位置を反転させる「接続先反転」と、中間部イメージ８３を左右反転させる「中間部反転」との選択画面（図５（ｆ）参照）を、ディスプレイ２４に表示させ、ユーザに反転要素の選択を促す。例えば、ケーブル１０の両接続先が「ＶＩＤＥＯ１」「ＴＶ」であり、中間部イメージが「→」であれば、「接続先反転」が選択された場合、第１印刷データ７６では「ＴＶ→ＶＩＤＥＯ１」と印刷し、第２印刷データ７７では「ＶＩＤＥＯ１→ＴＶ」と印刷する（図６（ａ）参照）。一方、「中間部反転」が選択された場合、第１印刷データ７６では「ＴＶ→ＶＩＤＥＯ１」と印刷し、第２印刷データ７７では「ＴＶ←ＶＩＤＥＯ１」と印刷する（図６（ｂ）参照）。このように、どちらが選択されたとしても、矢印「→」が対応する第１接続先名８１および第２接続先名８２を指し示す。なお、第１強調指標イメージおよび第２強調指標イメージは、中間部イメージ８３により構成されている。
【００４０】
印刷データ生成プログラム７３は、印刷データを生成するためのプログラムである。印刷データ生成プログラム７３を実行するＣＰＵ６５は、選択した印刷フォームに対応するレイアウト（フォームＤＢ７１から読み出したもの）と、各種設定情報に基づいて、印刷データを生成する（印刷データ生成手段）。１組のケーブルラベルの作成に際しては、第１レイアウトおよびペアケーブル設定プログラム７２による設定情報により、第１印刷データ７６を生成すると共に、第２レイアウトおよびペアケーブル設定プログラム７２による設定情報により、第２印刷データ７７を生成する。
【００４１】
次に、図８および図９を参照して、テープ印刷装置１における１組のケーブルラベルの作成動作について説明する。まず、図８に示すように、ユーザによって、フォームキー１５ａが押されると（Ｓ１：Ｙｅｓ）、ＣＰＵ６５は、フォーム選択プログラム７０により、印刷フォームの選択画面を表示する（Ｓ２）（図９：Ｄ１）。本例では、ユーザが、この選択画面で「特殊フォーム」を選択し、加えて「ペアケーブル」を選択したものとする（図９：Ｄ３）。
【００４２】
「ペアケーブル」が選択されると、ＣＰＵ６５は、テープ長設定プログラム９２により、テープ長の選択画面を表示する（Ｓ３）（図９：Ｄ４）。本例では、ユーザが、この選択画面で「５．０ｃｍ」を選択したものとする。テープ長を選択したら、次に、接続先入力プログラム９３により、第１接続先名８１の入力画面を表示する（Ｓ４）（図９：Ｄ５）。本例では、ユーザが、この入力画面によりケーブル１０の第１接続先名８１を入力する（「ＶＩＤＥＯ１」と入力）。厳密には、文字入力キー１３により、点滅したアイコンに「ＶＩＤＥＯ１」を入力し、確定キー１５ｃを押す。確定キー１５ｃが押されると、第１接続先名８１の入力を終了するか（「終わり？」）、改行し、２行目の入力をするか（「改行」）、の選択画面を表示する（図９：Ｄ６）。ここでは「終わり？」を選択し、第１接続先名８１の入力を終了する。なお、２行以上に亘る接続先名を入力する際には、「改行」を選択し、改行して入力を続行する。以下省略するが中間部文字列の入力や第２接続先名８２の入力の際も、同様の入力方法で入力を行う。
【００４３】
第１接続先名８１の入力が終了すると、ＣＰＵ６５は、中間部設定プログラム９４により、中間部文字列を自動設定するか（「自動入力」）、手動設定するか（「手動入力」）の選択画面を表示する（Ｓ５）（図９：Ｄ７）。本例では、ユーザが、この選択画面により所望の設定方法を選択し（本例では「自動入力」を選択）、中間部文字列を設定する。
【００４４】
中間部文字列を設定したら、ＣＰＵ６５は、接続先入力プログラム９３により、今度は、第２接続先名８２の入力画面を表示する（Ｓ６）（図９：Ｄ８）。本例では、ユーザが、この入力画面によりケーブル１０の第２接続先名８２を入力する（「ＴＶ」と入力）。
【００４５】
第２接続先名８２の入力が終了すると、ＣＰＵ６５は、反転要素設定プログラム９５により、反転要素の選択画面を表示する（Ｓ７）（図９：Ｄ１０）。ユーザは、この選択画面により所望の設定を選択する。これらの設定が終了したら、ＣＰＵ６５は、印刷データ生成プログラム７３により、第１レイアウトおよび第２レイアウト、各種設定情報とから、第１印刷データ７６および第２印刷データ７７を生成する（Ｓ８）。その後、印刷部６２により第１印刷データ７６および第２印刷データ７７を印刷すると共に、切断部３３により、印刷テープＴ上の、第１印刷データ７６および第２印刷データ７７の隣接部をハーフカットし、また、各ケーブルラベルが、設定したテープ長となるように、印刷テープＴをフルカットする（Ｓ９）。これらにより、図６（ａ）のような第１印刷データ７６および第２印刷データ７７が印刷された１組のケーブルラベルが作成される。
【００４６】
以上のような構成によれば、第１接続先名８１および第２接続先名８２を入力すると、第１接続先情報を強調する印刷書式の印刷データ（第１印刷データ７６）、および第２接続先情報を強調する印刷書式の印刷データ（第２印刷データ７７）を印刷テープＴに印刷し、これら１組のケーブルラベルを作成する。ユーザが、この１組のケーブルラベルを、ケーブル１０上の、対応する各接続先寄りに貼付すると、一方のケーブルラベルを参照するだけで、両接続先を把握することができる。また、各ケーブルラベルを同時に作成することができるため、１組のケーブルラベルの作成を容易に行うことができる。さらに、一方の接続先名を、他方の接続先名に対し強調して印刷するため、各ケーブルラベルが貼付された端部に対応する接続先を容易に判別することができる。なお、入力する接続先情報は、実施形態のような第１接続先名８１および第２接続先名８２のような名称に限らず、接続先を表すマーク等であっても良い。
【００４７】
また、各接続先情報を強調する強調要素として、各接続先情報を強調する装飾処理（囲いおよび網掛け）を施し、また、各接続先情報を強調する強調指標イメージ（中間部イメージ８３）を加えることにより、簡易な処理で強調表示することができる。なお、本実施形態においては、これら２つの強調要素を有しているが、いずれか一方のみ有していても良い。また、各接続先情報を強調する装飾として、囲いおよび網掛けを用いたが、その他の装飾を用いても良い。例えば、対応する接続先の接続先情報を拡大する装飾や、接続先情報を太字にする装飾を用いて、各接続先情報を強調するようにしても良い。さらに、他方の接続先情報を、例えば、縮小や細字にして、目立たないように装飾処理し、相対的に一方の接続先情報を強調処理するのであっても良い。またさらに、本実施形態においては、自動的に装飾処理を施すような構成としたが、装飾メニューを表示する装飾キーを有し、各接続先の入力に際し、装飾キーを押すことで、ユーザが自ら各文字列に装飾処理を施すようにしても良い（例えば、各接続先の入力時、文字入力キー１３で文字列を入力する前に、装飾キーを押し、表示した装飾メニューの中から「囲い」や「網掛け」といった装飾項目を選んで、入力する文字列を装飾する。）。
【００４８】
さらに、中間部イメージ８３（強調指標イメージ）の自動設定時に、強調する接続先情報を先端とし、強調しない接続先情報を後方とする矢印「→」を、中間部イメージ８３に設定することのより、一方の接続先情報に対し、他方の接続先情報を更に強調表示している。なお、中間部イメージ８３となる矢印としては、対象物および方向を指し示すことができるものであれば、形状を限定するものではなく、例えば、３角形や、人差し指を突き出した手のイメージであってもよい。また、このような強調指標イメージに限定する必要はなく、例えば、強調指標イメージとして上から第１接続先名８１および第２接続先名８２を指す矢印を有していても良い。なお、本実施形態においては、中間部設定プログラム９４により、中間部イメージ８３の設定をユーザ操作で変えられるように構成したが、中間部イメージ８３が常に矢印「→」に設定されている構成であっても良い。
【００４９】
またさらに、１のテープ長を入力するテープ長設定手段を有し、各ケーブルラベルが、選択入力した１のテープ長をとなるように、印刷テープＴを切断することにより、ユーザは、１組のケーブルラベルを同一長さで見栄え良く作成することができる。また、１のテープ長を入力するだけで、容易に所望のテープ長となる１組のケーブルラベルを作成することができる。
【００５０】
また、第１印刷データ７６および第２印刷データ７７を印刷テープＴ上で隣接して印刷し、第１印刷データ７６および第２印刷データ７７の隣接部をハーフカットすることにより、１組のケーブルラベルが連結して出力されるため、ユーザは、当該１組のケーブルラベルを容易に管理することができる。また、それぞれが剥がし代となるため、各ケーブルラベルの記録テープＴ１を容易に剥離することができる。なお、図１０（ａ）のように、隣接部をフルカットし、１組のケーブルラベルを切り離して作成しても良い。また、図１０（ｂ）のように、隣接部がハーフカットされた１組のケーブルラベルのテープ長方向の一端に剥がし代９８を形成して作成しても良い。
【００５１】
なお、本実施形態においては、長尺の印刷テープＴを用いて、所定のテープ長に切断してケーブルラベルを作成したが、予め所定のテープ長に切断された短冊状の印刷テープＴを用いてケーブルラベルを作成するものであっても良い。
【図面の簡単な説明】
【００５２】
【図１】本発明の実施形態に係るテープ印刷装置の閉蓋状態における外観斜視図である。
【図２】本実施形態に係るテープ印刷装置の開蓋状態における外観斜視図である。
【図３】専用の印刷テープにより作成されるケーブルラベルの例を示したが外観斜視図である。
【図４】テープ印刷装置の制御ブロック図である。
【図５】テープ印刷装置の各種選択画面および入力画面を示した図である。
【図６】作成される１組のケーブルラベルの例を示した図である。
【図７】１組のケーブルラベルの使用例を示した図である。
【図８】テープ印刷装置における１組のケーブルラベルの作成動作について示したフローチャートである。
【図９】テープ印刷装置における１組のケーブルラベルの作成動作について示した画面遷移図である。
【図１０】別作成例のケーブルラベルを示した図である。
【符号の説明】
【００５３】
１：テープ印刷装置、  １０：ケーブル、  １４：キーボード、  ２４：ディスプレイ、  ３３：切断部、  ６２：印刷部、  ７１：フォームＤＢ、  ７３：印刷データ生成プログラム、  ７６：第１印刷データ、  ７７：第２印刷データ、  ８１：第１接続先名、  ８２：第２接続先名、  ８３：中間部イメージ、  ９２：テープ長設定プログラム、  ９３：接続先入力プログラム、  Ｔ：印刷テープ、  Ｔ１：記録テープ、  Ｔ２：剥離テープ
【図１】
0005104424.tif 000002
【図２】
0005104424.tif 000003
【図３】
0005104424.tif 000004
【図４】
0005104424.tif 000005
【図５】
0005104424.tif 000006
【図６】
0005104424.tif 000007
【図７】
0005104424.tif 000008
【図８】
0005104424.tif 000009
【図９】
0005104424.tif 000010
【図１０】
0005104424.tif 000011